(57)【要約】【課題】施錠機構を構成する受け具に攻撃物（特にバール）からの防御機能を加味し、侵入者が容易に施錠片（デッドボルト）を攻撃することができないようにすること。【解決手段】戸先の側面に対向する縦枠の縦型空間にケース部が嵌め込まれ、かつ、ケース部に一体成形された或は一体的に設けられた上下の垂直取付け片及びこれらの垂直取付け片の貫通孔にそれぞれ差し込まれる上下の固着具を介して前記縦枠に一体的に固定される建具の防犯用受け具に於いて、上下の垂直取付け片に、縦枠の室外側の前壁方向に折曲げ形成され、かつ攻撃物の尖端部と交差状態となるガード片部を突出形成したことを特徴とする建具の防犯用受け具。【選択図】図２
2010007347.tif 000002
【特許請求の範囲】
【請求項１】
戸先の側面に対向する縦枠の縦型空間にケース部が嵌め込まれ、かつ、ケース部に一体成形された或は一体的に設けられた上下の垂直取付け片及びこれらの垂直取付け片の貫通孔にそれぞれ差し込まれる上下の固着具を介して前記縦枠に一体的に固定される建具の防犯用受け具に於いて、前記上下の垂直取付け片に、前記縦枠の室外側の前壁方向に折曲げ形成され、かつ攻撃物の尖端部と交差状態となるガード片部を突出形成したことを特徴とする建具の防犯用受け具。
【請求項２】
請求項１に於いて、ガード片部は、縦型空間を形成する縦枠の対向側面に、前記縦型空間の縦長開口５ａに連通する上下の縦方向切欠溝にそれぞれ嵌入した状態で縦枠の室外側の前壁の内壁面の一部と対向することを特徴とする建具の防犯用受け具。
【請求項３】
請求項１に於いて、ガード片部は、縦枠の室外側の前壁の外壁面と密着状態に重なるように対向することを特徴とする建具の防犯用受け具。
【発明の詳細な説明】
【技術分野】
【０００１】
本発明は、建具の防犯用受け具に関し、特に、侵入者の所持する攻撃物がバールである場合に於いて、バールの尖端部による攻撃によってデッドボルトと受け具との係合状態が解かれ、その結果、戸（ドア、引戸）が不法開扉されるのを防止する建具の防犯用受け具に関する。
【背景技術】
【０００２】
特許文献１乃至特許文献３は、侵入者が戸（例えばドア）の戸先と縦枠の側面（戸との対向壁）との間の隙間にバールの尖端部を差込み、戸をこじ開けるのを防止するために、前記戸先に縦長板片を適宜に折り曲げ形成した凸又は凹状のガード部分を一体的に設け、しかも、該ガード部分を前記バールの尖端部で室外方向へ引き起こすことができないようにする構成である。いわゆるバール対策である。
【０００３】
本願発明は、実施化レベルに於いて、特許文献１乃至特許文献３の構成を採用する又は採用しないに関らず、受け具の機能・用途（例えば特開２００６−２９９６０７号に記載されている地震対策用の受け具）、侵入者の心理的負担等を考慮して、別の観点からバール対策を講じるものである。なお、本願発明は、地震対策用の受け具のみに限定されるものではない。
【特許文献１】特開平１１−１８２１４９号公報
【特許文献２】特開２００１−５９３８６号公報
【特許文献３】特開２００３−１３８８４９号公報
【発明の開示】
【発明が解決しようとする課題】
【０００４】
本発明の所期の目的は、施錠機構を構成する受け具に攻撃物（特にバール）からの防御機能を加味し、侵入者が容易に施錠片（デッドボルト）を攻撃することができないようにすることである。第２の目的は、簡易な構成により、発明の所期の目的を達成することである。第３の目的は、例えば特開２００６−２９９６０７号に記載されている地震対策用の受け具は、変形可能なカバープレートを含む可動ストライク（可動コア）を構成要件としているものの、前記カバープレートは地震によって変形することを前提としているので、このような地震対策用の受け具にも攻撃物（特にバール）からの防御機能を持たせることである。
【課題を解決するための手段】
【０００５】
本発明の建具の防犯用受け具は、戸先の側面に対向する縦枠の縦型空間にケース部が嵌め込まれ、かつ、ケース部に一体成形された或は一体的に設けられた上下の垂直取付け片及びこれらの垂直取付け片の貫通孔にそれぞれ差し込まれる上下の固着具を介して前記縦枠に一体的に固定される建具の防犯用受け具に於いて、前記上下の垂直取付け片に、前記縦枠の室外側の前壁方向に折曲げ形成され、かつ攻撃物の尖端部と交差状態となるガード片部を突出形成したことを特徴とする。
【０００６】
上記構成に於いて、ガード片部は、縦型空間を形成する縦枠の対向側面に、前記縦型空間の縦長開口５ａに連通するように形成された上下の縦方向切欠溝にそれぞれ嵌入した状態で縦枠の室外側の前壁と対向する。また、ガード片部は、縦枠の室外側の前壁の外壁面と密着状態に重なるように対向する。
【発明の効果】
【０００７】
従来の建具の受け具に関しては対策が成されていなかった。すなわち、図１２で示すように、受け具Ｘ１の取付け孔を有する取付け片ａの内面と戸枠の縦枠ｂの対向側面との密着ポイントＰにバールの尖端部３０を差込み、無理やりに取付け片ａを浮き上がらせようとすることができた。
【０００８】
しかしながら、本発明の防犯用受け具Ｘは、縦枠の室外側の前壁と対向するように該前壁方向に折曲げ形成され、かつ攻撃物（特に、バール）の尖端部と交差状態となるガード片部を突出形成したので、発明が解決しようとする所期の課題を達成することができる。
【発明を実施するための最良の形態】
【０００９】
以下、図１乃至図１１に示す本発明を実施するための最良の形態により説明する。
【００１０】
（１）発明の実施の環境
図１は発明の実施の環境を示す概略説明図である。また、図２は戸枠の縦枠と共に本発明の防犯用受け具を示す。図１に於いて、Ｘは建具の防犯用受け具、１はサッシ型戸枠で、該戸枠１は、その袖片２に縦枠３と突状の戸当り枠４とを有し、前記縦枠３には、受け具Ｘ用の縦型空間（５ａはその開口）５が形成されている。戸枠１の細部的事項は割愛する。
【００１１】
図２で示すように、前記縦枠３は、戸先の側面に対向する対向側面３ａに、縦長開口５ａと連通する縦型空間５を有するが、本実施例では、対向側面３ａには、前記縦長開口５ａを形成する上端縁部及び下端縁部の両方に上下対称の縦方向切欠溝６，６が形成されている。これら上下の縦方向切欠溝６，６は、縦型空間の縦長開口５ａに連通するように縦枠３の室外側の前壁３ｂ寄りの部位に所定長で形成されている。また、対向側面３ａには、前記上端縁部及び下端縁部の付近に固着具用の取付け孔（メネジ孔）７，７が形成されている。
【００１２】
なお、８は戸（ドア、引戸）の戸先で、この戸先８には、錠箱９が組み込まれている。自明事項のように、錠箱９には施錠機構を構成するデッドボルト１０、ラッチ１１等が設けられ、前記デッドボルト１０、ラッチ１１は受け具Ｘの縦長開口５ａを介して該受け具Ｘに直接又は間接的に係合する。
【００１３】
また、仮想線で示す部材１２は、例えば受け具Ｘが地震対策用の受け具である場合に於いて、その前面に配設される変形可能なカバープレートで、このカバープレート１２の内面には、図示しない可動ストライク（可動コア）が一体的に設けられている（例えば特開２００６−２９９６０７号の実施例に記載のもの）。以下、本発明の特定要件について説明する。
【００１４】
（２）防犯用受け具Ｘ
図２乃至図５を参照にして防犯用受け具Ｘ（以下、「受け具」という）の構成を説明する。図２は受け具Ｘの斜視図、図３は受け具Ｘの正面図、図４は縦断面図、図は平面図である。
【００１５】
さて、受け具Ｘは、戸先の側面に対向する縦枠３の縦型空間５にケース部２０が嵌め込まれ、かつ、ケース部２０に一体成形された或は一体的に設けられた上下の垂直取付け片２１及びこれらの垂直取付け片２１の貫通孔２１ａにそれぞれ差し込まれる上下の固着具１５を介して前記縦枠３に一体的に固定される。
【００１６】
ケース部２０の縦方向の長さは、縦枠３の縦長開口５ａに嵌合するように適宜に設定されている。また、前記上下の垂直取付け片２１の縦方向の長さも、取付け片としの機能を考慮して適宜に設定されている。
【００１７】
しかして、本願発明の要部は、上下の垂直取付け片２１に、縦枠３の室外側の前壁３ｂと対向するように該前壁方向３ｂに略９０度折曲げ形成され、かつ攻撃物（特にバール）の先端部と交差状態となるガード片部２２，２２を突出形成したことである。したがって、平面図の図５では、図面上、上垂直取付け片２１の左端に、該上垂直取付け片２１と直交する突片のガード片部２２が見える。
【００１８】
（３）使用パターン１
図６乃至図８は、受け具Ｘの使用パターン１をそれぞれ概略的に示したものである。この使用パターン１では、ガード片部２２は、縦型空間５を形成する縦枠３の対向側面３ａに、前記縦型空間５の縦長開口５ａに連通する上下の縦方向切欠溝６，６にそれぞれ嵌入した状態で縦枠３の室外側の前壁３ｂと対向するように使用される。付言すると、上下の垂直取付け片２１は、室外側の前壁３ｂの内面と重なるように対向し、かつ上下の縦方向切欠溝６，６の前後端縁にそれぞれ挟持された格好となる。
【００１９】
したがって、図７で示すように、図示しない侵入者は、所持するバールの尖端部３０を、上下の垂直取付け片２１の挿入先端面２２ａへと差し込むことが事実上不可能と成る。付言すると、図８で示すように、縦枠３の対向側面３ａに対してガード部２２が直交状態に室外側の前壁３ｂの内面に入り込んでいるので、バールの尖端部３０が入り込むような「隙間」が存在しない。それ故に、受け具Ｘにバール対策用の防御機能を簡易な構成で加味することができる。
【００２０】
（４）使用パターン２
図９乃至図１１は、受け具Ｘの使用パターン２をそれぞれ概略的に示したものである。この使用パターン２では、ガード片部２２は、縦枠３の室外側の前壁３ｂの外壁面と密着状態に重なるように対向する。付言すると、上下の垂直取付け片２１は、上下の縦方向切欠溝６，６に入り込まない。したがって、この使用パターン２では、縦枠３の対向側面３ａの上下の縦方向切欠溝６，６は不要である。なお、上下の縦方向切欠溝６，６は、あっても、なくても良い。
【実施例】
【００２１】
本実施例のガード片部２２の長さは、長くても、短くても良い。発明の目的を逸脱しない範囲で、その長さは適宜に設定される。
【００２２】
発明の実施の形態で示した実施例に於いて、受け具Ｘが、例えば特開２００６−２９９６０７号に記載されている地震対策用の受け具として使用される場合には、受け具Ｘのケース部２０の縦長の両側壁に、図示しない複数個の小孔を、上下方向に所定間隔を有して形成する。前記複数個の小孔には、可動コア用の保持ピンが取付けられる。
【産業上の利用可能性】
【００２３】
本発明は、主に建具や錠前の業界で利用される。
【図面の簡単な説明】
【００２４】
図１乃至図１１は本発明の最良の実施例を示す各説明図。
【図１】発明の実施の環境を示す概略説明図。
【図２】戸枠の縦枠と共に受け具を示す斜視図。
【図３】受け具の正面図。
【図４】図３の４−４線断面図。
【図５】図３を基準とした平面図。
【図６】受け具の使用パターン１を示す説明図。
【図７】同使用パターン１の概略断面説明図。
【図８】同使用パターン１の室外側から見た要部の説明図。
【図９】受け具の使用パターン２を示す説明図（嵌合前）。
【図１０】受け具の使用パターン２を示す説明図。
【図１１】同使用パターン２の概略断面説明図。
【図１２】従来の問題点を指摘する概略説明図。
【符号の説明】
【００２５】
Ｘ…防犯用受け具、1…戸枠、２…袖片、３…縦枠、３ａ…戸先の側面に対向する対向側面、３ｂ…室外側の前壁、４…戸当り枠、５…縦型空間、５ａ…縦型空間の開口、６…上下の縦方向切欠溝、７…固着具用の取付け孔、８…戸先、９…錠箱、１０…デッドボルト、１１…ラッチ、１２…カバープレート、１５…上下の固着具、２０…ケース部、２１…上下の垂直取付け片、２１ａ…貫通孔、２２…ガード片部。
【図１】
2010007347.tif 000003
【図２】
2010007347.tif 000004
【図３】
2010007347.tif 000005
【図４】
2010007347.tif 000006
【図５】
2010007347.tif 000007
【図６】
2010007347.tif 000008
【図７】
2010007347.tif 000009
【図８】
2010007347.tif 000010
【図９】
2010007347.tif 000011
【図１０】
2010007347.tif 000012
【図１１】
2010007347.tif 000013
【図１２】
2010007347.tif 000014